(57)【特許請求の範囲】
【請求項１】
配電盤内に固定されるクレードルと、このクレードルに着脱自在にセットされる移動可能な開閉機器と、この開閉機器がクレードルにセットされる運転位置及び当該運転位置から所定距離離れた試験位置の何れかに存在する際にオン、その運転位置及び試験位置以外に存在する際に開閉機器を閉成操作不可能とするためにオフとなるインターロック接点とを有する引出形機器を配電盤に１乃至は複数台収容し、この収容された開閉機器が運転位置又は試験位置に存在することを表示手段に表示する引出形機器の位置表示回路において、
前記開閉機器が前記運転位置に存在する際にオン、それ以外にオフとなる位置検出用のリミットスイッチを備え、このリミットスイッチと前記インターロック接点との双方がオンの場合に前記表示手段に前記開閉機器が運転位置に存在することを表示し、前記リミットスイッチがオフで前記インターロック接点がオンの場合に前記表示手段に前記開閉機器が試験位置に存在することを表示し、前記インターロック接点がオフの場合に前記表示手段を未表示とするように、前記リミットスイッチ、前記インターロック接点及び前記表示手段を電源端子間に接続して成る
ことを特徴とする引出形機器の位置表示回路。
【発明の詳細な説明】
【技術分野】
【０００１】
本発明は、台車上に開閉機器が載置され、配電盤から出し入れされる引出形機器の運転位置並びに試験位置を点灯装置等で表示して使用者に知らせる引出形機器の位置表示回路に関する。
【背景技術】
【０００２】
図３は従来の引出形機器の位置表示回路の回路図である。図４は従来の引出形機器が収納された配電盤の内部側面図である。
図４に示す配電盤１０は、縦型の直方体形状を成し、内部に接地金属を兼ねる２枚の仕切り板１１が水平に配設されて３つのユニット室に区切られている。これらユニット室には、中間のユニット室に代表して示すように引出形機器２０が収納されている。
【０００３】
引出形機器２０は、仕切り板１１の上に固定されたクレードル３と、このクレードル３の上に配電盤１０の正面又は背面方向（紙面では左右方向）に移動可能に載置された側面Ｌ字形状の台車２と、台車２の上に載置固定された真空遮断器などの開閉機器１とを備えて構成されている。
開閉機器１は、運転位置Ｐ１において接触子４を介して配電盤１０の主回路端子５に接続されている。更に、台車２で運転位置Ｐ１から正面方向に引き出して試験位置Ｐ２に配置可能となっている。
【０００４】
クレードル３は、開閉機器１の運転位置Ｐ１でオンとなる位置リミットスイッチＬＳ３と、試験位置Ｐ２でオンとなる位置リミットスイッチＬＳ４とを備えている。各位置リミットスイッチＬＳ３，ＬＳ４は、図３に示すように、商用交流電源端子Ｒ，Ｔに接続されたｃ接点スイッチであり、オンとなった場合に運転位置表示ランプＲ３又は試験位置表示ランプＲ４を点灯させる。各表示ランプＲ３，Ｒ４は、例えば図４のように配電盤１０の正面に取り付けられており、操作者が、開閉機器１の運転位置Ｐ１又は試験位置Ｐ２を容易に認識できるようになっている。
【０００５】
更に、クレードル３は、Ａ部分にインターロック装置を備えている。このインターロック装置は、運転位置Ｐ１では、機械的機構によって開閉機器１が閉成状態で台車２の出し入れの操作ができないように、また、運転位置Ｐ１又は試験位置Ｐ２、これら以外の位置に応じて作動する機械的機構と連動してオン／オフするインターロック接点によって台車２の出し入れの途中位置で開閉機器１の閉成操作ができないように、試験位置Ｐ２では、機械的機構によって開閉機器１の閉成状態で台車２の出し入れの操作ができないようにするものである。
【０００６】
この種の従来の引出形機器の位置表示回路として、例えば特許文献１及び２に記載のものがある。
【特許文献１】特開平１０−１０８３２４号公報
【特許文献２】特公平２−４１２４４号公報
【発明の開示】
【発明が解決しようとする課題】
【０００７】
しかし、従来の引出形機器の位置表示回路においては、開閉機器１の運転位置Ｐ１又は試験位置Ｐ２を表示するために、２つの位置リミットスイッチＬＳ３，ＬＳ４が必要となるが、位置リミットスイッチＬＳ３，ＬＳ４は高価であるため、その分、引出形機器の製造コストが高くなるという問題がある。
このようなコスト高の引出形機器を工場等の配電盤を用いた配電設備に使用すると、使用個数が多いほどに設備全体の製造コストが高くなるという問題が生じる。
本発明は、このような課題に鑑みてなされたものであり、引出形機器の製造コストを下げることができ、これによって引出形機器を配電盤使用設備に複数用いた場合に設備全体の製造コストを下げることができる引出形機器の位置表示回路を提供することを目的としている。
【課題を解決するための手段】
【０００８】
上記目的を達成するために、本発明の請求項１による引出形機器の位置表示回路は、配電盤内に固定されるクレードルと、このクレードルに着脱自在にセットされる移動可能な開閉機器と、この開閉機器がクレードルにセットされる運転位置及び当該運転位置から所定距離離れた試験位置の何れかに存在する際にオン、その運転位置及び試験位置以外に存在する際に開閉機器を閉成操作不可能とするためにオフとなるインターロック接点とを有する引出形機器を配電盤に１乃至は複数台収容し、この収容された開閉機器が運転位置又は試験位置に存在することを表示手段に表示する引出形機器の位置表示回路において、前記開閉機器が前記運転位置に存在する際にオン、それ以外にオフとなる位置検出用のリミットスイッチを備え、このリミットスイッチと前記インターロック接点との双方がオンの場合に前記表示手段に前記開閉機器が運転位置に存在することを表示し、前記リミットスイッチがオフで前記インターロック接点がオンの場合に前記表示手段に前記開閉機器が試験位置に存在することを表示し、前記インターロック接点がオフの場合に前記表示手段を未表示とするように、前記リミットスイッチ、前記インターロック接点及び前記表示手段を電源端子間に接続して成ることを特徴とする。
【０００９】
この構成によれば、位置検出用のリミットスイッチを１つ用いて、開閉機器の運転位置又は試験位置を表示することができるので、従来の２つのリミットスイッチを運転位置、試験位置の各々専用に用いる場合に比べ、引出形機器の製造コストを下げることができる。このコストを下げた引出形機器を工場等の配電盤を用いた配電設備に使用すれば、使用個数が多いほどに従来の引出形機器を用いることに比べて、設備全体の製造コストを下げることが可能となる。
【発明の効果】
【００１０】
以上説明したように本発明によれば、引出形機器の製造コストを下げることができ、これによって引出形機器を配電盤使用設備に複数用いた場合に設備全体の製造コストを下げることができるという効果がある。
【発明を実施するための最良の形態】
【００１１】
以下、本発明の実施の形態を、図面を参照して説明する。但し、本明細書中の全図において相互に対応する部分には同一符号を付し、重複部分においては後述での説明を適時省略する。
図１は、本発明の実施の形態に係る引出形機器の位置表示回路の回路図である。図２は、本実施の形態の引出形機器が収納された配電盤の内部側面図である。
【００１２】
図１に示す引出形機器の位置表示回路は、商用交流電源端子Ｒ，Ｔのうち端子Ｒに、インターロック接点Ｓ１及び位置リミットスイッチＬＳ３を直列に接続し、その位置リミットスイッチＬＳ３の可動端子が当該位置リミットスイッチＬＳ３の運転位置Ｐ１の検出でのオン時に接続される一方の固定端子と他方の商用交流電源端子Ｔとの間に運転位置表示ランプＲ３を接続し、当該位置リミットスイッチＬＳ３がオフ時に接続される他方の固定端子と商用交流電源端子Ｔとの間に試験位置表示ランプＲ４を接続して構成したものである。なお、各表示ランプＲ３，Ｒ４で表示手段が構成される。
【００１３】
インターロック接点Ｓ１は、図２に示すように、引出形機器３０のインターロック装置として開閉機器１内に一般的に付属するものであり、位置リミットスイッチＬＳ３も、前述した従来構成同様にクレードル３に設けられているものである。
即ち、インターロック装置は、既に説明したように図２に示すＡ部分に備えられているが、その構成要素として、従来例でも説明したように、台車２の出し入れの途中位置で開閉機器１の閉成操作を不可能とするようになっている。このために、台車２が運転位置Ｐ１及び試験位置Ｐ２以外ではインターロック接点Ｓ１をオフとして開閉機器１を閉成操作できないようにしている。換言すれば、台車２が運転位置Ｐ１又は試験位置Ｐ２にインターロック装置で機械的に固定されている場合は、インターロック接点Ｓ１がオンとなって開閉機器１の閉成操作が可能となる。
本実施の形態の図１に示す引出形機器の位置表示回路は、その既設のインターロック接点Ｓ１を用い、従来２つ必要であった位置リミットスイッチＬＳ３，ＬＳ４のうち運転位置Ｐ１でオンとなる位置リミットスイッチＬＳ３のみを用い、表示ランプＲ３，Ｒ４と共に回路構成した。
【００１４】
このような構成の引出形機器の位置表示回路の動作を説明する。
まず、台車２が運転位置Ｐ１にある場合は、インターロック接点Ｓ１がオンとなると共に位置リミットスイッチＬＳ３がオンとなるので、運転位置表示ランプＲ３が点灯する。これによって開閉機器１が運転位置Ｐ１に位置することが認識できる。
一方、台車２が試験位置Ｐ２にある場合は、インターロック接点Ｓ１がオンとなるが位置リミットスイッチＬＳ３はオフなので、試験位置表示ランプＲ４が点灯する。これによって開閉機器１が試験位置Ｐ２に位置することが認識できる。
【００１５】
また、運転位置Ｐ１及び試験位置Ｐ２の何れでもない場合、つまり台車２を出し入れしている最中はインターロック接点Ｓ１がオフとなるので、位置リミットスイッチＬＳ３のオン／オフ状態に係わらず各表示ランプＲ３，Ｒ４が消灯状態となる。これによって開閉機器１が運転位置Ｐ１及び試験位置Ｐ２の何れにも位置しないことが認識できる。
【００１６】
このような、本実施の形態の引出形機器の位置表示回路によれば、開閉機器１の運転位置Ｐ１又は試験位置Ｐ２を表示するために、位置リミットスイッチＬＳ３を１つ用いればよいので、従来の２つ用いる場合に比べ引出形機器３０の製造コストを下げることができる。
このコストを下げた引出形機器３０を工場等の配電盤を用いた配電設備に使用すれば、使用個数が多いほどに従来の引出形機器２０を用いることに比べて、設備全体の製造コストを下げることが可能となる。
【図面の簡単な説明】
【００１７】
【図１】本発明の実施の形態に係る引出形機器の位置表示回路の回路図である。
【図２】本実施の形態の引出形機器が収納された配電盤の内部側面図である。
【図３】従来の引出形機器の位置表示回路の回路図である。
【図４】従来の引出形機器が収納された配電盤の内部側面図である。
【符号の説明】
【００１８】
１  開閉機器
２  台車
３  クレードル
４  接触子
５  主回路端子
１０  配電盤
１１  仕切り板
３０  引出形機器
Ｓ１  インターロック接点
ＬＳ３  位置リミットスイッチ
Ｒ３  運転位置表示ランプ
Ｒ４  試験位置表示ランプ
Ｐ１  運転位置
Ｐ２  試験位置
【図１】
0004519096.tif 000002
【図２】
0004519096.tif 000003
【図３】
0004519096.tif 000004
【図４】
0004519096.tif 000005